(57)【要約】【課題】複数の携帯端末を用いて、広い空間における大きな映像の表示を行うことが可能な、同期式映像再生システムを提供する。【解決手段】開示される同期式映像再生システムは、空間に配置された複数の携帯端末１０に対して、各携帯端末と相互に通信可能なサーバ２０を備え、携帯端末がサーバに当該端末の種類を送信することによって、サーバが各端末の種別に応じた映像表示のプログラムをそれぞれの携帯端末に送信し、各携帯端末が映像再生時の位置を送信することによって、サーバが通知された位置に対応する映像データを各携帯端末に送信し、各携帯端末が所定のタイミングで開始してプログラムに従って送信された映像を表示することによって、各携帯端末の表示部の大きさよりも大きな映像を空間的に同期して表示する。【選択図】      図１
2004264735.tif 000002
【特許請求の範囲】
【請求項１】
空間に配置された複数の携帯端末に対して、該各携帯端末と相互に通信可能なサーバを備え、前記携帯端末が前記サーバに当該端末の種類を送信することによって、サーバが各端末の種別に応じた映像表示のプログラムをそれぞれの携帯端末に送信し、各携帯端末が映像再生時の位置を送信することによって、サーバが前記位置に対応する映像データを前記各携帯端末に送信し、各携帯端末が所定のタイミングで開始して前記プログラムに従って前記送信された映像を表示することによって、各携帯端末の表示部の大きさよりも大きな映像を空間的に同期して表示することを特徴とする同期式映像再生システム。
【請求項２】
前記映像を形成するピクセル数と前記携帯端末の数とが等しいときは、各携帯端末が１ピクセルの画像を表示することを特徴とする請求項１記載の同期式映像再生システム。
【請求項３】
前記映像を形成するピクセル数が前記携帯端末の数より多いときは、映像を前記携帯端末数に分割した各部の一部または全部に対応して、各携帯端末が複数ピクセルの画像を表示することを特徴とする請求項１記載の同期式映像再生システム。
【請求項４】
前記所定のタイミングが、それぞれの携帯端末における映像再生ボタンの操作によって定まることを特徴とする請求項１乃至３のいずれか一記載の同期式映像再生システム。
【請求項５】
各携帯端末における前記映像再生開始タイミングと他の携帯端末の映像再生開始タイミングとにずれがあるとき、各携帯端末が前記映像再生開始タイミングから現在までの経過時間を前記他の携帯端末に通知することによって、前記他の携帯端末において、取得した複数の時間データの中央値に合わせて自端末における前記経過時間を修正することを特徴とする請求項４記載の同期式映像再生システム。
【請求項６】
前記各携帯端末がサーバに通知する該端末の最初の位置が、周囲の指標で定まる各携帯端末のおおよその位置であることを特徴とする請求項１乃至５のいずれか一記載の同期式映像再生システム。
【請求項７】
前記いずれかの携帯端末の位置にずれがあったとき、該携帯端末がその位置検出手段によって測定した位置と前記最初の位置との差分のデータをサーバに送信することによって、サーバから新たな現在位置に対応する画像データを取得することを特徴とする請求項６記載の同期式映像再生システム。
【請求項８】
前記位置検出手段が、ＧＰＳ（Ｇｌｏｂａｌ  Ｐｏｓｉｔｉｏｎｉｎｇ  Ｓｙｓｔｅｍ  ）を備えて、その位置を測定することを特徴とする請求項７記載の同期式映像再生システム。
【請求項９】
前記各携帯端末が、当該端末のみの位置に対応する映像データを前記サーバから取得して記憶することを特徴とする請求項１乃至８のいずれか一記載の同期式映像再生システム。
【請求項１０】
前記各携帯端末が、すべての端末の位置に対応する映像データを前記サーバから取得して記憶し、当該携帯端末の位置に対応する映像データを選択して表示することを特徴とする請求項１乃至８のいずれか一記載の同期式映像再生システム。
【請求項１１】
前記携帯端末が、サーバとの間で情報の送受信を行う送受信手段と、サーバから送信されたプログラムと映像データとを記憶するデータ保存手段と、前記プログラムに基づいて映像を１又は複数ピクセルごとに表示する映像表示手段と、当該携帯端末の位置を検出する位置検出手段と、映像の表示の開始を指示する映像再生ボタンとを備えていることを特徴とする請求項１乃至１０のいずれか一記載の同期式映像再生システム。
【請求項１２】
前記サーバが、前記携帯端末との間で情報の送受信を行う送受信手段と、前記携帯端末に送信すべきプログラムと映像データとを予め格納するデータ蓄積手段と、前記携帯端末からの要求に基づいて前記データ蓄積手段に格納されているプログラムと映像データを前記送受信手段を介して送出する制御を行う制御手段とを備えていることを特徴とする請求項１乃至１１のいずれか一記載の同期式映像再生システム。
【発明の詳細な説明】
【０００１】
【発明の属する技術分野】
この発明は、一つの映像を分解して、１または複数のピクセルごとに携帯端末の表示器面上に表示させることによって大きな映像を表示する、同期式映像再生システムに関する。
【０００２】
【従来の技術】
従来、コンサートやパレード，各種式典，スポーツの応援等の各種イベントにおいて、多数の観覧者が協同して大きな文字や模様等を表示しようとする場合には、多数の人が、それぞれ旗や帽子、又はパネル等を提示したり、あるいは夜間の場合は、それぞれペンライトや提灯等を用いて光点を表示したりすることによって、そのような表示を行う方法が多く用いられていた。
また、マスゲーム等のように、多数の出演者がそれぞれ色や模様の異なる複数のパネルを順次掲げることによって、ゲームの進行とともに変化する大きな映像を表示する方法も行われていた。
【０００３】
【特許文献１】
特開２００１−０１６２０１
【特許文献１】
特開２００２−１０８７３６
【０００４】
【発明が解決しようとする課題】
しかしながら、上記のように旗や帽子、ペンライトや提灯等を用いる方法では、表示できるのは単調な色彩に限られていた上、表示像の全体又は一部の明度を変えることも困難であって、一つのまとまった映像としての表示は不可能であった。
また、マスゲーム等のように、多数の出演者がそれぞれパネルを掲げることによって、順次変化する映像を表示しようとする場合には、表示しようとする映像に応じて、複数の異なる色や模様のパネルを用意しなければならないため、事前の準備が煩瑣であるとともに、多数の色や模様を揃えることも困難であり、さらにそれぞれの出演者が、各自の行う表示の順序を確実に記憶していることが必要であって、事前の周到な演習が必要である等、難しい点が多かった。
【０００５】
この発明は上述の事情に鑑みてなされたものであって、多数人が協同して複数点の画像によって大きな文字や模様等を表す映像を表示しようとする場合に、表示すべき文字や模様等を構成する色の数や、明暗の選択の自由度が大きく、従ってバラエティに富んだ表現が可能な、同期式映像再生システムを提供することを目的としている。
【０００６】
【課題を解決するための手段】
上記課題を解決するため、請求項１記載の発明は同期式映像再生システムに係り、空間に配置された複数の携帯端末に対して、該各携帯端末と相互に通信可能なサーバを備え、上記携帯端末が上記サーバに当該端末の種類を送信することによって、サーバが各端末の種別に応じた映像表示のプログラムをそれぞれの携帯端末に送信し、各携帯端末が映像再生時の位置を送信することによって、サーバが上記位置に対応する映像データを上記各携帯端末に送信し、各携帯端末が所定のタイミングで開始して上記プログラムに従って上記送信された映像を表示することによって、各携帯端末の表示部の大きさよりも大きな映像を空間的に同期して表示することを特徴としている。
【０００７】
また、請求項２記載の発明は、請求項１記載の同期式映像再生システムに係り、上記映像を形成するピクセル数と上記携帯端末の数とが等しいときは、各携帯端末が１ピクセルの画像を表示することを特徴としている。
【０００８】
また、請求項３記載の発明は、請求項１記載の同期式映像再生システムに係り、上記映像を形成するピクセル数が上記携帯端末の数より多いときは、映像を上記携帯端末数に分割した各部の一部または全部に対応して、各携帯端末が複数ピクセルの画像を表示することを特徴としている。
【０００９】
また、請求項４記載の発明は、請求項１乃至３のいずれか一記載の同期式映像再生システムに係り、上記所定のタイミングが、それぞれの携帯端末における映像再生ボタンの操作によって定まることを特徴としている。
【００１０】
また、請求項５記載の発明は、請求項４記載の同期式映像再生システムに係り、各携帯端末における上記映像再生開始タイミングと他の携帯端末の映像再生開始タイミングとにずれがあるとき、各携帯端末が上記映像再生開始タイミングから現在までの経過時間を上記他の携帯端末に通知することによって、上記他の携帯端末において、取得した複数の時間データの中央値に合わせて自端末における上記経過時間を修正することを特徴としている。
【００１１】
また、請求項６記載の発明は、請求項１乃至５のいずれか一記載の同期式映像再生システムに係り、上記各携帯端末がサーバに通知する該端末の最初の位置が、周囲の指標で定まる各携帯端末のおおよその位置であることを特徴としている。
【００１２】
また、請求項７記載の発明は、請求項６記載の同期式映像再生システムに係り、上記いずれかの携帯端末の位置にずれがあったとき、該携帯端末がその位置検出手段によって測定した位置と上記最初の位置との差分のデータをサーバに送信することによって、サーバから新たな現在位置に対応する画像データを取得することを特徴としている。
【００１３】
また、請求項８記載の発明は、請求項７記載の同期式映像再生システムに係り、上記位置検出手段が、ＧＰＳ（Ｇｌｏｂａｌ  Ｐｏｓｉｔｉｏｎｉｎｇ  Ｓｙｓｔｅｍ  ）を備えて、その位置を測定することを特徴としている。
【００１４】
また、請求項９記載の発明は、請求項１乃至８のいずれか一記載の同期式映像再生システムに係り、上記各携帯端末が、当該端末のみの位置に対応する映像データを上記サーバから取得して記憶することを特徴としている。
【００１５】
また、請求項１０記載の発明は、請求項１乃至８のいずれか一記載の同期式映像再生システムに係り、上記各携帯端末が、すべての端末の位置に対応する映像データを上記サーバから取得して記憶し、当該携帯端末の位置に対応する映像データを選択して表示することを特徴としている。
【００１６】
また、請求項１１記載の発明は、請求項１乃至１０のいずれか一記載の同期式映像再生システムに係り、上記携帯端末が、サーバとの間で情報の送受信を行う送受信手段と、サーバから送信されたプログラムと映像データとを記憶するデータ保存手段と、上記プログラムに基づいて映像を１又は複数ピクセルごとに表示する映像表示手段と、当該携帯端末の位置を検出する位置検出手段と、映像の表示の開始を指示する映像再生ボタンとを備えていることを特徴としている。
【００１７】
また、請求項１２記載の発明は、請求項１乃至１１のいずれか一記載の同期式映像再生システムに係り、上記サーバが、上記携帯端末との間で情報の送受信を行う送受信手段と、上記携帯端末に送信すべきプログラムと映像データとを予め格納するデータ蓄積手段と、上記携帯端末からの要求に基づいて上記データ蓄積手段に格納されているプログラムと映像データを上記送受信手段を介して送出する制御を行う制御手段とを備えていることを特徴としている。
【００１８】
【発明の実施の形態】
以下、図面を参照して、この発明の実施の形態について説明する。説明は、実施例を用いて具体的に行う。
図１は、本発明の一実施例である同期式映像再生システムの構成を示す図、図２は、本実施例の同期式映像再生システムにおける携帯端末の構成を示す図、図３は、本実施例の同期式映像再生システムにおけるサーバの構成を示す図、図４は、本実施例の同期式映像再生システムにおける携帯端末の動作を説明するシーケンス図、図５は、本実施例の同期式映像再生システムによる映像表示の一例を示す図、図６は、本実施例の同期式映像再生システムにおける映像表示の他の例を示す図である。
【００１９】
この例の同期式映像再生システムは、図１に示すように、複数の携帯端末１０と、サーバ２０とから概略構成されている。
携帯端末１０は、ＰＤＡ（Ｐｅｒｓｏｎａｌ  Ｄａｔａ  Ａｓｓｉｓｔａｎｔ  ）や、携帯電話等の携帯端末装置からなり、サーバ２０と無線通信を行って、サーバ２０から送られた映像を表示する。サーバ２０は、映像の全体のデータを保持していて、携帯端末１０からの要求に応じて、携帯端末１０の位置に対応する、部分映像のデータを各携帯端末ごとに送信する。
【００２０】
この例の携帯端末１０は、図２に示すように、映像表示部１０１と、無線送受信部１０２と、映像再生ボタン１０３と、データ保存部１０４と、位置検出部１０５と、アンテナ１０６とから構成されている。
映像表示部１０１は、液晶表示器等からなり、映像再生ボタン１０３の押下時、データ保存部１０４に保存されているデータによって映像を可視表示する。無線送受信部１０２は、サーバ２０との間で、制御情報を送受信し、サーバ２０から映像データと表示タイミングの情報を含むプログラムを受信する。映像再生ボタン１０３は、押下時、映像表示の開始を各部に指示する。データ保存部１０４は、サーバ２０から受信したプログラムを保存する。位置検出部１０５は、例えばＧＰＳ（Ｇｌｏｂａｌ  Ｐｏｓｉｔｉｏｎｉｎｇ  Ｓｙｓｔｅｍ  ）からなり、当該携帯端末１０の位置を検出する。アンテナ１０６は、無線送受信部１０２とサーバ２０との間の無線信号の送受信を行う。
【００２１】
この例のサーバ２０は、図３に示すように、データベース２０１と、無線送受信部２０２と、制御部２０３と、アンテナ２０４とから構成されている。
データベース２０１は、各携帯端末がそれぞれの位置に応じて表示すべき映像データと表示タイミングの情報を含むプログラムを蓄積している。無線送受信部２０２は、各携帯端末との間で制御情報を送受信し、各携帯端末に対してプログラムを送信する。制御部２０３は、データベース２０１と無線送受信部２０２との動作を制御し、携帯端末からの要求に応じて、データベース２０１に格納されているプログラムを送出する制御を行う。アンテナ２０４は、無線送受信部２０２と携帯端末１０との間の無線信号の送受信を行う。
【００２２】
以下、図１乃至図６を参照して、この例の同期式映像再生システムの動作を説明する。
サーバ２０には、イベント等において行うべき、携帯端末を用いた同期式映像再生のプログラムが、表示すべき映像の各点ごとに、予めそのデータベース２０１に格納されている。
【００２３】
携帯端末１０は、図４のシーケンスにおいて１で示すように、端末の種別を示すデータをサーバ２０へ送信する。ここで端末の種類とは、主として、携帯端末が利用できる通信会社名や、携帯端末の機能の違いを示す機種名とを指している。
これに対して、サーバ２０は、図４において２で示すように、携帯端末１０の種別に応じて、端末が表示可能な画像サイズに対応するプログラムを送信する。この場合におけるプログラムは、例えば複数の映像を順次表示する場合の映像ごとに付されたフレーム番号と、映像の再生開始後の経過時間との関係を示すものである。
【００２４】
プログラムを受信したのち、携帯端末１０は、このプログラムを実行する。その際、図４において３で示すように、映像再生時の端末のおおよその位置を示すデータを携帯端末１０に入力することによって、サーバ２０へそのデータを送信する。この場合におけるおおよその位置は、例えば映像表示を行う競技場やコンサート会場の席の位置や番号等によって定められる。
これによって、サーバ２０は、図４において４で示すように、当該携帯端末１０の位置に対応する、全体の映像中の該当部分の映像データを携帯端末１０へ送信する。映像データはフレーム番号ごとに送信され、例えば画像が１ピクセルからなる場合は、それぞれの場合の１ピクセルの画像の色や明度のデータであり、画像が２ピクセルからなる場合は、それぞれの場合の各ピクセルの画像の色や明度のデータである。画像が３ピクセル以上からなる場合も同様である。
【００２５】
単一の携帯端末が表示すべき映像の縦横のピクセル数と端末の数とから定まるピクセル数は、縦，横とも、表示すべき映像のピクセル数以上であることが望ましい。なぜならば、端末数から定まるピクセル数が所要のピクセル数に満たない場合には、原映像情報に対して表示される映像情報に欠損が生じるからである。
図５は、端末数が所要のピクセル数を満たすために必要かつ十分である場合の、表示画像を例示したものであって、１端末ごとに１ピクセルの映像を表示する場合を示している。
図５に示された例においては、複数の端末５０１が、任意の色又は明度を有する１ピクセルの映像を表示可能な、同一の大きさの表示部を持つ端末からなっている。
【００２６】
上述のように、端末数が所要のピクセル数を満たす数より少ない場合には、表示される映像情報に欠損が生じるが、この場合でも、１端末が２以上のピクセルを表示することを許容すれば、欠損なしに映像表示を行うことができる。
図６は、端末数が１端末１ピクセルとするために必要な数より少ない場合に、１端末において表示可能なピクセル数を複数とした端末を用いることによって、欠損のない映像を表示する場合を例示している。
【００２７】
図６に示された例においては、各端末は、任意の色又は明度を有する１ピクセルの映像を表示可能な、同一の大きさの表示部を持つ端末６０１と、端末６０１と同じ大きさの表示部を２分割して、２ピクセルの映像を表示可能にした端末６０２と、端末６０１の場合と比べて横方向に複数倍の大きさを持つ表示部を有し、任意の色又は明度を有する複数ピクセルの映像を表示可能な端末６０３と、端末６０１の場合と比べて横方向と縦方向にそれぞれ複数倍の大きさを持つ表示部を有し、任意の色又は明度を有する背景部分と、これと異なる色又は明度を有する映像部分とによって、複数ピクセルからなる映像を表示可能にした端末６０４とからなっている。
この場合、各種端末６０１，６０２，６０３，６０４のそれぞれの数は任意であり、すべてが複数ピクセルを表示する端末であってもよいことはいうまでもない。
【００２８】
逆に、表示すべき映像のピクセル数に対応する端末数よりも、使用する端末数が多いときは、画像の解像度を上げたり、又は画像を拡大することが必要になるが、この場合は、周囲のピクセル情報に基づいて新しいピクセルをつくり出す、バイリニア法やバイキュービック法によって、ピクセル数を変更するようにすればよい。
すなわち、バイリニア法では、平面上の近傍隣接の４点の画像濃度を用い、線型方程式を用いて１次近似を行うことによって、任意の座標位置の濃度を、対応する４点の近傍画素の濃度値から求めて補間して、新たなピクセルを作成する。
また、バイキュービック法は３次補間法とも呼ばれるものであって、近傍隣接の複数点の画像濃度から、３次方程式による近似を行って補間して、新たなピクセルを作成する。
【００２９】
この例の同期式映像再生システムでは、映像を表示すべき領域は、予め定めておくことが必要である。例えば競技場のフィールドやコンサート会場等のように広い場所では、そのうちの特定の領域を限定して、その範囲内で映像を再生するようにする。
【００３０】
各携帯端末は、映像再生位置近辺で、映像再生ボタン１０３を同時に押下することによって、図５又は図６のように、端末の位置に応じた映像を、同期して表示することができる。
もしも、端末が最初に指定した映像再生位置が、例えば他の端末の映像再生位置と比較してずれがあった場合には、位置検出部１０５によって自端末の位置を検出し、検出された位置と最初に入力した位置との違いを示す差分のデータを算出してサーバ２０に送信して、新たな現在位置に対応する画像データをサーバ２０から取得することによって補正する。
位置検出は、位置検出部１０５にＧＰＳを備えて、これによって自端末の位置を測定して行うのが代表的な手法である。
【００３１】
なお、映像データを携帯端末の位置ごとにサーバ２０から取得する代わりに、すべての位置の映像データを事前に取得しておき、各端末が自端末の位置に対応する指定位置の映像を選択して、映像再生ボタン１０３の押下後、プログラムのタイミング指示に応じて表示するようにしてもよい。
携帯端末において、データ保存部１０４の容量に余裕がある場合には、このように、事前にすべての位置の映像データを取得しておくことが望ましい。なぜならば、このようにすることによって、移動する端末の数が多い場合に、映像データの取得のためにサーバ２０との間の通信帯域を占有する恐れがないとともに、サーバ２０の送受信の負荷がないためである。なおこの場合は、図４に示されたシーケンス中における３の手順が不要となる。
【００３２】
各端末は、映像再生ボタン１０３の押下を手動で行って映像表示を開始するため、映像再生ボタン１０３の押下タイミングの違いに基づいて、映像の各部で表示にずれが生じる恐れがあるが、これに対しては、以下の方法で補正を行うことができる。
すなわち、各携帯端末１０は、映像再生ボタン１０３の押下から現在までの経過時間を、データ送受信部１０２を介して、他の各端末へ報知する。各携帯端末は、他の複数の端末からそれぞれの映像再生ボタン押下後の経過時間のデータを受信して、取得した複数の時間データの中央値に合わせて自端末の経過時間を設定して映像表示を行うことによって、各端末の映像表示のずれが補正される。
【００３３】
この場合に報知すべき情報は、映像再生ボタン１０３の押下後の経過時間に限らず、順次表示される映像のフレーム番号等、一意に決定されるものであれば、他の情報であってもよい。
また、この場合の報知用データの送受信用として、端末のデータ送受信部１０２を使用することによって、端末・サーバ間の通信に支障をきたす恐れがある場合には、別にデータ送受信部を設けるようにしてもよい。
【００３４】
このように、この例の同期式映像再生システムによれば、複数の携帯端末を空間的に配置して、映像を分割して、それぞれの端末によって１又は複数のピクセルごとに表示を行うので、携帯端末の表示部の大きさよりも大きな映像の表示が可能になる。
また、この例の同期式映像再生システムによれば、複数の携帯端末の所持者が、それぞれの端末において切り替えて表示すべき映像のデータと、表示切り替えのタイミングとを記憶している必要がないので、複数の携帯端末によって順次映像を表示して行うマスゲームの実行が容易になる。
【００３５】
以上、この発明の実施例を図面により詳述してきたが、具体的な構成はこの実施例に限られたものではなく、この発明の要旨を逸脱しない範囲の設計の変更等があってもこの発明に含まれる。例えば、複数の端末が持つ表示機能は、携帯電話等の携帯端末が持つ表示部に限らず、携帯端末に接続された液晶ディスプレイ，テレビ受像機，光ファイバを編み込んだ生地部分を有し、ネット経由で情報を受信する装置によって光ダイオードを点灯して、光ファイバを介して光ファイバを編み込んだ生地部分に映像等を表示するように構成された既知の衣服，高輝度ＬＥＤ（Ｌｉｇｈｔ  Ｌｕｍｉｎｅｓｃｅｎｔ  Ｄｉｏｄｅ  ）を用いた残光表示器であるバーサライタ等を用いることも可能である。
また、携帯端末は、必ずしも映像再生ボタンを有しなくてもよく、例えば報知用サーバからの報知情報の受信に応じて映像の再生を開始するように構成することによって、映像表示の同期をとるようにしてもよい。また、携帯端末及びサーバの情報送受信部は、無線信号の送受信を行うものに限らず、例えば赤外線信号の送受信を行うものであってもよい。
【００３６】
【発明の効果】
以上説明したように、本発明の同期式映像再生システムによれば、複数の携帯端末を空間的に配置し、大きな映像を分割して、それぞれの端末によって１又は複数のピクセルごとに表示を行うようにしたので、携帯端末の表示部を用いて、広い空間における大きな映像の表示が可能になる。
また、この例の同期式映像再生システムによれば、複数の携帯端末の所持者が、それぞれの端末において順次表示すべき映像のデータと、表示切り替えのタイミングとを記憶している必要がないので、複数の携帯端末によって順次映像を表示して行うマスゲームの実行が容易になる。
【図面の簡単な説明】
【図１】本発明の一実施例である同期式映像再生システムの構成を示す図である。
【図２】同実施例の同期式映像再生システムにおける携帯端末の構成を示す図である。
【図３】同実施例の同期式映像再生システムにおけるサーバの構成を示す図である。
【図４】同実施例の同期式映像再生システムにおける携帯端末の動作を説明するシーケンス図である。
【図５】同実施例の同期式映像再生システムによる映像表示の一例を示す図である。
【図６】同実施例の同期式映像再生システムにおける映像表示の他の例を示す図である。
【符号の説明】
１０      携帯端末
１０１      映像表示部（映像表示手段）
１０２      無線送受信部（送受信手段）
１０３      映像再生ボタン
１０４      データ保存部（データ保存手段）
１０５      位置検出部（位置検出手段）
１０６      アンテナ
２０      サーバ
２０１      データベース（データ蓄積手段）
２０２      無線送受信部（送受信手段）
２０３      制御部（制御手段）
２０４      アンテナ
【図１】
2004264735.tif 000003
【図２】
2004264735.tif 000004
【図３】
2004264735.tif 000005
【図４】
2004264735.tif 000006
【図５】
2004264735.tif 000007
【図６】
2004264735.tif 000008